(57)【要約】  ユーザ機器により実行される方法（ＵＥ）であって、ＵＥがサイドリンクリレー動作を設定するための第１の設定を含む無線リソース制御（ＲＲＣ）メッセージを受信することと、ＵＥがサイドリンクリレー動作を実行することを示す第２の設定を含むマスタ情報ブロックサイドリンク（ＭａｓｔｅｒＩｎｆｏｒｍａｔｉｏｎＢｌｏｃｋ−ＳＬ）をブロードキャストすることと、を含む方法。
2018528648.tif 000002
【特許請求の範囲】
【請求項１】
ユーザ機器（ＵＥ）により実行される方法であって、
前記ＵＥがサイドリンクリレー動作を設定するための第１の設定を含む無線リソース制御（ＲＲＣ）メッセージを受信することと、
前記ＵＥが前記サイドリンクリレー動作を実行することを示す第２の設定を含むマスタ情報ブロックサイドリンク（ＭａｓｔｅｒＩｎｆｏｒｍａｔｉｏｎＢｌｏｃｋ−ＳＬ）をブロードキャストすることと、
を含む方法。
【請求項２】
前記設定に基づいて前記ＵＥが前記リレー動作に設定される場合、前記ＵＥが前記リレー動作を解放しようとしているかどうかに関連するリレー解放要求を含むＲＲＣメッセージを送信することを更に含む、請求項１に記載の方法。
【請求項３】
前記ＵＥが前記リレー動作の確立に関心があるかどうかに関連するリレー要求を含むＲＲＣメッセージを送信することを更に含む、請求項１に記載の方法。
【請求項４】
ｅｖｏｌｖｅｄ  ＮｏｄｅＢ（ｅＮＢ）により実行される方法であって、
ユーザ機器（ＵＥ）がサイドリンクリレー動作を設定するための第１の設定を含む無線リソース制御（ＲＲＣ）メッセージを送信することであり、前記第１の設定は、前記ＵＥが前記サイドリンクリレー動作を実行することを示す第２の設定を含むマスタ情報ブロックサイドリンク（ＭａｓｔｅｒＩｎｆｏｒｍａｔｉｏｎＢｌｏｃｋ−ＳＬ）を前記ＵＥがブロードキャストすることを引き起こす、ことを含む、
方法。
【請求項５】
前記設定に基づいて前記ＵＥが前記リレー動作に設定される場合、前記ＵＥが前記リレー動作を解放しようとしているかどうかに関連するリレー解放要求を含むＲＲＣメッセージを受信することを更に含む、請求項４に記載の方法。
【請求項６】
前記ＵＥが前記リレー動作の確立に関心があるかどうかに関連するリレー要求を含むＲＲＣメッセージを受信することを更に含む、請求項４に記載の方法。
【発明の詳細な説明】
【技術分野】
【０００１】
本発明は、無線通信のサイドリンクリレー動作に関し、より具体的には、サイドリンクリレー動作に関連する、リレー指示送信プロシージャ又はサイドリンクユーザ機器（ＵＥ）情報送信プロシージャの仕組みに関する。
【背景技術】
【０００２】
近接サービス（Proximity-based Services、ＰｒｏＳｅ）又はデバイス・ツー・デバイス（Device-to-Device、Ｄ２Ｄ）サービスは、装置を互いに直接通信できるようにし、公共安全と非公共安全の両方を目的とする有用なサービスを提供する。Ｄ２Ｄの利益としては、非限定的に、周波数利用効率及び全体スループットの改善、端末の電力消費の低減、並びに新たなタイプのピア・ツー・ピアサービスの提供が挙げられる。
【０００３】
Ｄ２Ｄの一般的な用途としては、非限定的に、公共安全、ネットワークオフロードなどが挙げられる。加えて、Ｄ２Ｄ通信は、３ＧＰＰ  Ｒｅｌｅａｓｅ  １２の主な特徴の１つである。３ＧＰＰ  Ｒｅｌｅａｓｅ  １２では、Ｄ２Ｄは、以下の特徴のサブセットを標準的にサポートしている。
【表１】
2018528648.tif 000003
加えて、Ｄ２Ｄは、３ＧＰＰ  Ｒｅｌｅａｓｅ  １３のタイムフレームにおいて拡張を継続している。Ｑｕａｌｃｏｍｍ社によるＲＰ−１５０４４１，「Ｒｅｖｉｓｅｄ  ＷＩ：Ｅｎｈａｎｃｅｄ  ＬＴＥ  Ｄｅｖｉｃｅ  ｔｏ  Ｄｅｖｉｃｅ  Ｐｒｏｘｉｍｉｔｙ  Ｓｅｒｖｉｃｅｓ」において議論されているように、３ＧＰＰ  Ｒｅｌｅａｓｅ  １３におけるＤ２Ｄサービスのメインターゲットは、以下を含む。
【表２】
2018528648.tif 000004
【０００４】
Ｄ２Ｄは、カバレッジ外ＵＥ（例えば、リモートＵＥ）がリレーＵＥを通じてｅＮＢに対して信号を送受信するＤ２Ｄリレーを提供するために更に使用される。どのＵＥがリレーＵＥとして機能できるかを決定するプロシージャは、３ＧＰＰにおいて決定されていない。しかし、ｅＮＢの制御に基づくプロシージャが、妥当な解決策であり、例えば、富士通によるＲ２−１５２１８５，「Ｃｏｎｓｉｄｅｒａｔｉｏｎｓ  ｏｎ  ｒｅｌａｙ  ｓｅｌｅｃｔｉｏｎ  ａｎｄ  ｒｅｓｅｌｅｃｔｉｏｎ」などにおいて提案されている。加えて、Ｈｕａ  Ｗｅｉ社によるＲ２−１５２４６８，「Ｃｏｎｓｉｄｅｒａｔｉｏｎｓ  ｏｎ  Ｒｅｌａｙ  ｉｎｉｔｉａｔｉｏｎ」では、２つの閾値、ＲＳＲＰ  ＴｈｒｅｓｈＨｉｇｈ及びＴｈｒｅｓｈＬｏｗをｅＮＢによりブロードキャストできることが提案された。特定のリレーＵＥ候補のＲＳＲＰがＴｈｒｅｓｈＬｏｗ＜ＲＳＲＰ＜ＴｈｒｅｓｈＨｉｇｈを満たす場合、このＵＥリレー候補は、ＵＥリレーとして機能することができ、モデルＡ又はモデルＢの発見解決策のいずれかを有する。ここでは参照のために、３ＧＰＰ  ＴＲ  ２３．７１３  Ｖ１．１．０，「Ｓｔｕｄｙ  ｏｎ  ｅｘｔｅｎｄｅｄ  ａｒｃｈｉｔｅｃｔｕｒｅ  ｓｕｐｐｏｒｔ  ｆｏｒ  ｐｒｏｘｉｍｉｔｙ−ｂａｓｅｄ  ｓｅｒｖｉｃｅｓ」に定義されているモデルＡ及びモデルＢの発見解決策がコピーされている。
【表３】
2018528648.tif 000005
【発明の概要】
【技術的課題】
【０００５】
図１には、カバレッジ外ＵＥ（例えば、リモートＵＥ）がリレーＵＥを通じてｅＮＢに対して信号を送受信するＤ２Ｄリレーの基本概念を示している。サービスの連続性の観点から、カバレッジ内ＵＥもリレーＵＥを選択できることが合意されている。しかし、広範に研究されたのは、リレーＵＥの選択／再選択をどのように実行するかという課題である。セルの選択／再選択と同様に、通常の状況では、リモートＵＥがキャンプオンすることを選べるリレーＵＥ候補は少数である。しかし、最も適したリレーＵＥをどのように選択するかを決定するための方法が必要とされる。更に、リモートＵＥの環境が変化すると、リモートＵＥは、例えば、より良い無線条件などの良い条件の別のリレーＵＥにキャンプオンするためにリレーＵＥ再選択プロシージャの実行を欲することがある。
【０００６】
本発明の上記及び他の特徴、要素、特徴、ステップ、及び利点は、添付の図面を参照する、本発明の好適な実施形態の以下の詳細な説明からより明らかになるであろう。
課題を解決するための手段
【０００７】
本発明によれば、ユーザ機器（ＵＥ）により実行される方法であって、ＵＥがサイドリンクリレー動作を設定するための第１の設定を含む無線リソース制御（ＲＲＣ）メッセージを受信することと、ＵＥがサイドリンクリレー動作を実行することを示す第２の設定を含むマスタ情報ブロックサイドリンク（ＭａｓｔｅｒＩｎｆｏｒｍａｔｉｏｎＢｌｏｃｋ−ＳＬ）をブロードキャストすることと、を含む方法が提供される。
【０００８】
本発明によれば、ｅｖｏｌｖｅｄ  ＮｏｄｅＢ（ｅＮＢ）により実行される別の方法であって、ユーザ機器（ＵＥ）がサイドリンクリレー動作を設定する第１の設定を含む無線リソース制御（ＲＲＣ）メッセージを送信することであり、第１の設定は、ＵＥがサイドリンクリレー動作を実行することを示す第２の設定を含むマスタ情報ブロックサイドリンク（ＭａｓｔｅｒＩｎｆｏｒｍａｔｉｏｎＢｌｏｃｋ−ＳＬ）をＵＥがブロードキャストすることを引き起こす、ことを含む方法が提供される。
【図面の簡単な説明】
【０００９】
【図１】本発明の好適な実施形態によるリモートＵＥ及びリレーＵＥを描写する図である。
【図２】本発明の好適な実施形態によるＵＥリレー解放プロシージャのブロック図である。
【図２ａ】本発明の好適な実施形態によるＵＥリレー要求及びリレー解放プロシージャの別の例のブロック図である。
【図２ｂ】本発明の好適な実施形態によるＵＥリレー要求及びリレー解放プロシージャのまた別の例のブロック図である。
【図３】本発明の好適な実施形態によるリレー再設定のブロック図である。
【図４】本発明の好適な実施形態によるＵＥのブロック図である。
【図５】本発明の好適な実施形態によるｅＮｏｄｅＢのブロック図である。
【発明を実施するための形態】
【００１０】
本発明の好適な実施形態は、サイドリンクリレー動作に関連する、リレー指示送信プロシージャ又はサイドリンクＵＥ情報送信プロシージャの仕組みを提供する効率的な方式を発見することに対応する。これらの仕組み及びプロシージャによれば、リレーＵＥとして機能できるＵＥの選択をｅＮＢにより決定することができ、セル端部にあるＵＥをリレーＵＥとして選択するべきではないという１つの論理的帰結が得られ、これは、セル端部での無線リンクの品質が、セル中央部に位置する無線リンクの品質ほどは一般的に良くないためである。一方、セル中心のＵＥもリレーＵＥとしての使用に好適なＵＥではなく、これは、そのシナリオでは、ＵＥをサービングｅＮＢと直接通信させる方が良い解決策であるためである。したがって、前述した理由に従ってリレーＵＥ領域を配置するのに最適な位置が図１に示されている。
【００１１】
リレーＵＥの選択／再選択の問題に関するいくつかの研究があるが、リレーＵＥにキャンプオンしているいずれのリモートＵＥも無制限の時間にわたりキャンプオンを継続できないことを確実にするリレーＵＥ解放プロシージャ（すなわち、リレーＵＥのリレー機能をいつどのように中止するかを決定するプロシージャ）が、多くの注目を引くことはなかった。
【００１２】
しかし、以下のユーザケースの一部では、ＵＥリレー解放の仕組みが必要であることが発見されている。
【表４】
2018528648.tif 000006
【００１３】
サイドリンクリレー動作に関連する、リレー指示送信プロシージャ又はサイドリンクＵＥ情報送信プロシージャの仕組みの好適な実施形態の詳細について記述する。本発明の好適な実施形態は、サイドリンクリレー動作の効率的な実行を確実にすることができる。本発明の好適な実施形態は、例えば、ｅＮＢによりブロードキャストできる２つの閾値、ＲＳＲＰ  ＴｈｒｅｓｈＨｉｇｈ及びＴｈｒｅｓｈＬｏｗなどの使用によって、ＵＥリレーがセル中心に近すぎず、セル端部でもないことを確実にすることもできる。特定のリレーＵＥ候補のＲＳＲＰがＴｈｒｅｓｈＬｏｗ＜ＲＳＲＰ＜ＴｈｒｅｓｈＨｉｇｈを満たす場合、このＵＥリレー候補は、ＵＥとして機能することができる。高い閾値及び低い閾値は併せて、リレーＵＥが位置する領域を定義するために使用することができる。しかし、無線条件が悪化したときにＵＥリレー解放をトリガーする条件をどのように決定するかという、考慮すべき別の問題がある。
【００１４】
ユーザ機器（ＵＥ）により実行される方法について記述する。方法は、ＵＥがサイドリンクリレー動作を設定するための第１の設定（例えば、ｓｌ−ＲｅｌａｙＣｏｎｆｉｇ）を含む無線リソース制御（ＲＲＣ）メッセージを受信することと、ＵＥがサイドリンクリレー動作を実行することを示す第２の設定（例えば、Ｒｅｌａｙ−ｒ１３）を含むマスタ情報ブロックサイドリンク（ＭａｓｔｅｒＩｎｆｏｒｍａｔｉｏｎＢｌｏｃｋ−ＳＬ）をブロードキャストすることと、を含む。方法は、設定に基づいてＵＥがリレー動作に設定される場合、ＵＥがリレー動作を解放しようとしているかどうかに関連するリレー解放要求を含むＲＲＣメッセージを送信することを更に含んでもよい。方法は、ＵＥがリレー動作の確立に関心があるかどうかに関連するリレー要求を含むＲＲＣメッセージを送信することを更に含んでもよい。
【００１５】
ｅｖｏｌｖｅｄ  ＮｏｄｅＢ（ｅＮＢ）により実行される方法が記述される。方法は、ユーザ機器（ＵＥ）がサイドリンクリレー動作を設定するための第１の設定を含む無線リソース制御（ＲＲＣ）メッセージを送信することを含む。第１の設定は、ＵＥがサイドリンクリレー動作を実行することを示す第２の設定を含むマスタ情報ブロックサイドリンク（ＭａｓｔｅｒＩｎｆｏｒｍａｔｉｏｎＢｌｏｃｋ−ＳＬ）をＵＥがブロードキャストすることを引き起こす。方法は、設定に基づいてＵＥがリレー動作に設定される場合、ＵＥがリレー動作を解放しようとしているかどうかに関連するリレー解放要求を含むＲＲＣメッセージを受信することを更に含んでもよい。方法は、ＵＥがリレー動作の確立に関心があるかどうかに関連するリレー要求を含むＲＲＣメッセージを受信することを更に含んでもよい。
【００１６】
提案される解決策は、閾値とタイマの両方に基づいてもよい。これらの閾値は、セル全体にブロードキャストされるか、ＲＲＣシグナリングにより特定のリレーＵＥにシグナリングされるかのいずれかであってもよく、ピンポン問題を避けるためにタイマが使用され、タイマは、短時間に閾値を横切ることによりＵＥが挙動を変化させることを防止するようになっている。詳細には、本発明の好適な一実施形態は、ＲＲＣ＿ＩＤＬＥ状態のＵＥが、閾値に基づいてリレーになれると分かると、リレーとして機能するための接続を受信することを依頼する状況を含む。その後に、ＵＥは、閾値とタイマの両方を使用してリレー動作を制御するＲＲＣ＿ＣＯＮＮＥＣＴＥＤ状態に入る。
【００１７】
ＰＣ５インターフェースは、サイドリンクにより実現される、ＵＥ間のインターフェースである。サイドリンクは、ＰｒｏＳｅ直接発見（例えば、サイドリンク直接発見通知）及び／又はＵＥ間のＰｒｏＳｅ直接通信（例えば、サイドリンク直接通信）（例えばＤ２Ｄ）を含みうる。サイドリンクは、アップリンク送信と同様の、アップリンクリソース及び物理チャネル構成を使用しうる。ＰｒｏＳｅ直接通信は、ＵＥがＰＣ５インターフェースを介して互いに直接通信できる通信モードである。ＰｒｏＳｅ直接発見は、ＰｒｏＳｅ直接発見をサポートするＵＥにより使用され、ＰＣ５を介したＥ−ＵＴＲＡ直接無線信号を使用して近接する他のＵＥ（１つ以上の）を発見するプロシージャとして定義される。
【００１８】
カバレッジ外動作のための同期を実行するために、ＵＥ（１つ以上）が、サイドリンクブロードキャスト制御チャネル（ＳＢＣＣＨ）及び同期信号を送信することにより同期元として機能しうる。ＳＢＣＣＨは、他のＰｒｏＳｅチャネル及び信号を受信するのに必要な最も重要なシステム情報を運ぶ。ＳＢＣＣＨは、同期信号と共に一定の周期性４０ｍｓで送信される。ＵＥがネットワークカバレッジ内にある場合には、ＳＢＣＣＨのコンテンツは、ｅＮＢによりシグナリングされたパラメータから導出される。ＵＥがカバレッジ外にある場合には、ＵＥが別のＵＥを同期基準として選択すると、ＳＢＣＣＨのコンテンツは、受信されたＳＢＣＣＨから導出され、そうでなければ、ＵＥは、事前設定されたパラメータを使用する。ＳＩＢ１８（ＳｙｓｔｅｍＩｎｆｏｒｍａｔｉｏｎＢｌｏｃｋＴｙｐｅ１８）は、同期信号及びＳＢＣＣＨの送信用のリソース情報を提供する。
【００１９】
同期を実行するために、発見メッセージの通知に参加するＵＥ（１つ以上）は、ＳＩＢ１９において提供される同期信号のリソース情報に基づいて同期信号を送信することにより同期元として機能しうる。
【００２０】
３つのレンジクラスがある。上位レイヤの許可によって、ＵＥの適用可能なレンジクラスが提供される。各レンジクラスの最大許容送信電力が、ＳＩＢ１９においてシグナリングされる。ＵＥは、許可されたレンジクラスに対応する適用可能な最大許容送信電力を使用する。これによって、開ループ電力制御パラメータに基づいて、決定された送信電力に上限が定められる。ｅＮＢは、ＳＩＢ１９（ＳｙｓｔｅｍＩｎｆｏｒｍａｔｉｏｎＢｌｏｃｋＴｙｐｅ１９）においてＵＥの自律的なリソース選択に基づく発見メッセージ通知用のリソースプールを提供しうる。ＰｒｏＳｅ直接発見を許可されたＵＥは、ＲＲＣ＿ＩＤＬＥにおいて発見メッセージを通知するために、それらのリソースを使用する。ｅＮＢは、ＰｒｏＳｅ直接発見をサポートするが、発見メッセージ通知用のリソースを提供しないことをＳＩＢ１９において示しうる。ＵＥは、発見メッセージ通知用のリソースを要求するために、ＲＲＣ＿ＣＯＮＮＥＣＴＥＤに入る必要がある。
【００２１】
（サイドリンク）リレー要求が、ＰＣｅｌｌのＲＳＲＰに基づいてｅＮＢに送信されうる。リレー要求は、ＵＥがリレー動作の確立に関心があるかどうかに関連しうる。リレー要求は、例えば、サイドリンクＵＥ情報に含まれうる。代わりに、リレー要求は、リレー指示に含まれてもよい。リレー要求を使用する実施とサイドリンクＵＥ情報を使用する実施との違いについて後述する。
【００２２】
一例では、上位レイヤは、リレー要求を送信するようにＵＥを設定しうる。上位レイヤは、ＰＣｅｌｌのＲＳＲＰ及びＳＩＢ１８に基づくサイドリンク直接通信及び／又はＰＣｅｌｌのＲＳＲＰ及びＳＩＢ１９に基づくサイドリンク直接発見のためのＲＲＣ接続を開始しうる。リレー要求を含むサイドリンクＵＥ情報の送信プロシージャ又はリレー要求を含むリレー指示の送信プロシージャは、ＲＲＣ接続確立プロシージャに続いて開始されうる。別の例では、ＲＲＣは、リレー要求を送信するように設定されうる。上位レイヤは、ＳＩＢ１８に基づくサイドリンク直接通信及び／又はＳＩＢ１９に基づくサイドリンク直接発見通知のためのＲＲＣ接続を開始する。リレー要求を含むサイドリンクＵＥ情報の送信プロシージャ又はリレー要求を含むリレー指示の送信プロシージャは、ＰＣｅｌｌのＲＳＲＰ並びにＳＩＢ１８及び／又はＳＩＢ１９に基づいて開始されうる。
【００２３】
（サイドリンク）リレー解放要求が、ＰＣｅｌｌのＲＳＲＰに基づいてｅＮＢに送信されうる。リレー解放要求は、ＵＥがリレー動作に関心があるかどうか又はリレー動作を解放しようとしているかどうかに関連しうる。リレー解放要求は、サイドリンクＵＥ情報に含まれうる。代わりに、リレー解放要求は、リレー指示に含まれてもよい。一例では、上位レイヤは、リレー解放要求を送信するようにＵＥを設定しうる。別の例では、リレー解放要求を含むサイドリンクＵＥ情報の送信プロシージャ又はリレー解放要求を含むリレー指示の送信プロシージャは、ＰＣｅｌｌのＲＳＲＰ並びにＳＩＢ１８及び／又はＳＩＢ１９に基づいて開始されうる。
【００２４】
ＰＣｅｌｌのＲＳＲＰに基づくリレー要求又はリレー解放要求の送信の詳細な条件は、以下の例を含むことが好ましい。それらの閾値のセッティング及びプロシージャをどのようにトリガーするかに関して、いくつかの代替案がある。
【表５】
2018528648.tif 000007
【表６】
2018528648.tif 000008
上記ケースＩ〜ＩＩＩでは、タイマ値０を使用することができ、このことは、対応するプロシージャではタイマが使用されないことを意味する。
【００２５】
次いで、リレーＵＥのシグナリングプロシージャの好適な実施形態の具体的な詳細について議論する。上述したように、ｅＮＢは、特定のリレーＵＥにより使用される閾値を更新することができ、又は代わりに新たな閾値をセル全体にブロードキャストすることができ、このことは、一部のリレーＵＥが、新たな閾値を得た後にリレーＵＥ解放プロシージャをトリガーしうることを暗示している。
【００２６】
以下では、サイドリンクリレー動作（例えば、リレー要求／確立プロシージャ、リレー解放プロシージャ）をどのように実現するかという具体的な実施について議論する。図２に示すように、２つのタイプのリレーＵＥ解放プロシージャが示される。図２の左側では、ＵＥリレー解放は、上述したようにリレーＵＥによりトリガーされる。図２の右側では、リレーＵＥ解放は、ｅＮＢにより直接行われる。
【００２７】
本発明の好適な実施形態では、「リレーＵＥ解放要求」メッセージが、対応するＵＥがもはやリレーＵＥであることを欲しないことを示す指標を含むことができる。加えて、メッセージは、ＵＥが「リレーＵＥ解放」の指標を送った「理由」の具体的な詳細などの任意選択的な更なる情報を含むことができる。理由は、例えば、ＵＥのパフォーマンス負荷に関連しうる。「リレーＵＥ解放要求確認」メッセージの内部には、「リレーＵＥ解放」に関する確認が提供されることが好ましい。メッセージは、リレーＵＥ動作に関連する任意のリソースを解放することをリレーＵＥに知らせる指標など、任意選択的な／任意選択的ではない指標を更に含むことができる。例えば、リレー動作の目的に割り当てられている任意の送信／受信リソース／リソースプールを解放することができる。
【００２８】
「リレーＵＥ解放指示」メッセージが、リレーＵＥ側からの先行情報なしにｅＮＢによりリレーＵＥに直接送られることが好ましい。「リレーＵＥ解放要求確認」メッセージと同様に、メッセージは、「リレーＵＥ解放」の指標、及びリレー動作に使用されるリソースを解放するための任意選択的な／任意選択的ではない他の指標を有する。
【００２９】
本発明の好適な実施形態によるサイドリンクリレー動作のシグナリング（サイドリンクＵＥ情報に基づく）について議論する。図２ａ及び図２ｂに示すように、サイドリンクリレー動作の設定を実現するための例が提供される。図２ａに示すように、「リレー要求」及び「リレー解放要求」のシグナリングは、リリース１２のサイドリンクＵＥ情報プロシージャに基づきうる。つまり、リレーＵＥがリレー機能の開始又は中止を欲する情報は、サイドリンクＵＥ情報によりｅＮＢに送られる。好適な実施の一例が、３ＧＰＰ  ＴＳ  ３６．３３１，Ｒａｄｉｏ  Ｒｅｓｏｕｒｃｅ  Ｃｏｎｔｒｏｌ（ＲＲＣ）Ｐｒｏｔｏｃｏｌ仕様書，ｖ１２．５．０のＳｅｃｔｉｏｎ  ５．１０．２．２に見られ、以下のように記されている。
【表７】
2018528648.tif 000009
【００３０】
ＳｉｄｅｌｉｎｋＵＥＩｎｆｏｒｍａｔｉｏｎは、リレー解放指示を送るために更新されるべきである。一実施例が、３ＧＰＰ  ＴＳ  ３６．３３１，Ｒａｄｉｏ  Ｒｅｓｏｕｒｃｅ  Ｃｏｎｔｒｏｌ（ＲＲＣ）Ｐｒｏｔｏｃｏｌ仕様書，ｖ１２．５．０のＳｅｃｔｉｏｎ  ６．２．２に記述されており、以下のように記されている。
ＳｉｄｅｌｉｎｋＵＥＩｎｆｏｒｍａｔｉｏｎメッセージ
【表８】
2018528648.tif 000010
【００３１】
本発明の好適な実施形態によるサイドリンクリレー動作のシグナリング（リレー指示に基づく）について議論する。図２ｂに示すように、ＵＥリレー動作の設定の設定例が示される。ここで、「リレー要求」及び「リレー解放要求」のシグナリングは、サイドリンクリレー指示プロシージャに基づきうる（つまり、リレーＵＥがリレー機能の開始又は中止を欲する情報は、サイドリンクＵＥ情報によりｅＮＢに送られる）。本発明の好適な実施形態による一実施例は、以下のシーケンスを含む。
【表９】
2018528648.tif 000011
ＵＥは、「ＲｅｌａｙＩｎｄｉｃａｔｉｏｎ」メッセージを送信のために下位レイヤに渡すことになっている。
【００３２】
「ＲｅｌａｙＩｎｄｉｃａｔｉｏｎ」は、リレー解放指示を送るために更新されるべきである。
一実施例を以下に記載する：
【表１０】
2018528648.tif 000012
【００３３】
本発明の好適な実施形態によるサイドリンクリレー再設定のシグナリングについて議論する。図３に示すように、本発明の好適な実施形態によるＵＥリレー動作の設定の（再）設定例が示される。このセクションのＲＲＣシグナリング設計は、Ｒｅｌ−１２「サイドリンク専用設定」の構成に基づいている。新たなＩＥ  ｓｌ−ＲｅｌａｙＣｏｎｆｉｇを導入する一実施例が以下に示される。この実施例は、３ＧＰＰ  ＴＳ  ３６．３３１，Ｒａｄｉｏ  Ｒｅｓｏｕｒｃｅ  Ｃｏｎｔｒｏｌ（ＲＲＣ）Ｐｒｏｔｏｃｏｌ仕様書，ｖ１２．５．０のＳｅｃｔｉｏｎ  ５．３．１０．１５に記述されており、以下のように記されている。
【表１１】
2018528648.tif 000013
【００３４】
本発明の好適な実施形態では、リレー動作のために導入される新たなＩＥ（例えばｓｌ−ＲｅｌａｙＣｏｎｆｉｇ）は、例えば、リレー通知信号の送信に割り当てられるリソース又はリモートＵＥからの信号受信用のリソースを含むことができる。
【００３５】
本発明の好適な実施形態によるサイドリンクリレーＵＥステータス指示のシグナリングについて議論する。前の２つのセクションにおいて設計されたリレーＵＥとｅＮＢの間のシグナリングの他に、リレーＵＥが、サイドリンクにおいてＭａｓｔｅｒＩｎｆｏｒｍａｔｉｏｎＢｌｏｃｋによってリレーステータス（Ｒｅｌａｙ−ｒ１３）（ＵＥがリレーＵＥとして機能しているか否か）を示すこともできる。このことは、リモートＵＥがリレーＵＥの現在の状況を知る助けとなる。３ＧＰＰ  ＴＳ  ３６．３３１，Ｒａｄｉｏ  Ｒｅｓｏｕｒｃｅ  Ｃｏｎｔｒｏｌ（ＲＲＣ）Ｐｒｏｔｏｃｏｌ仕様書，ｖ１２．５．０のセクション５．１０．７．４に基づく一実施例について、以下に示す。
【表１２】
2018528648.tif 000014
ＭａｓｔｅｒＩｎｆｏｒｍａｔｉｏｎＢｌｏｃｋ−ＳＬ（３ＧＰＰ  ＴＳ  ３６．３３１，Ｒａｄｉｏ  Ｒｅｓｏｕｒｃｅ  Ｃｏｎｔｒｏｌ（ＲＲＣ）Ｐｒｏｔｏｃｏｌ仕様書，ｖ１２．５．０のセクション６．５．２）は、更新されるべきであり、一実施例が後述されている。
ＭａｓｔｅｒＩｎｆｏｒｍａｔｉｏｎＢｌｏｃｋ−ＳＬ
【表１３】
2018528648.tif 000015
【００３６】
上記では、ｓ１−ＲｅｌａｙＣｏｎｆｉｇは、ＲＲＣ接続再設定メッセージの一部に含まれる、サイドリンクリレー動作の設定を示す。Ｒｅｌａｙ−ｒ１３は、ＵＥがリレー（サイドリンクリレー）として機能できるかどうかを示し、ＭａｓｔｅｒＩｎｆｏｒｍａｔｉｏｎＢｌｏｃｋ−ＳＬにおいてブロードキャストされる。言い換えると、Ｒｅｌａｙ−ｒ１３は、ＵＥがサイドリンクリレー動作を実行するかどうかを示しうる。例えば、上記の「条件Ａ（condition A）」は存在しなくてもよい。ＵＥは、ｓ１−ＲｅｌａｙＣｏｎｆｉｇが設定されているか否かのみに基づいてＲｅｌａｙ−ｒ１３をセットする。そして、ＵＥがリレーとして機能できるかどうかの情報のブロードキャストがｅＮＢにより制御される。言い換えると、ｅＮＢは、Ｒｅｌａｙ−ｒ１３を提供しうるし、ＵＥは、ＲＲＣ接続再設定メッセージにより受信した値をＲｅｌａｙ−ｒ１３に単にセットしうる。別の例では、上記の「条件Ａ」は、ＴｈｒｅｓｈＬｏｗ＜ＲＳＲＰ＜ＴｈｒｅｓｈＨｉｇｈでもよい。また別の例では、上記の「条件Ａ」は、タイマの終了でもよく、ここで、タイマは、ＲＳＲＰ＜ＴｈｒｅｓｈＬｏｗ又はＲＳＲＰ＞ＴｈｒｅｓｈＨｉｇｈのいずれかのとき開始する。また別の例では、上記の「条件Ａ」は、ＵＥがリレー動作を解放しようとしていることでもよい。それは、ＵＥがリレー解放要求の送信動作を実行したことでもよい。
【００３７】
図４は、本発明の各種の好適な実施形態によるＵＥ１１０４に使用できる各種の構成要素を示している。ＵＥ１１０４は、ＵＥ１１０４の動作を制御するように構成又はプログラムされたプロセッサ１１５４を含むことが好ましい。プロセッサ１１５４は、ＣＰＵ又は他の同様の装置と呼ばれることもある。例えば、リードオンリーメモリ（ＲＯＭ）、ランダムアクセスメモリ（ＲＡＭ）、又は情報を記憶するために使用できる任意の他の装置を含みうる、メモリ１１７４が、命令１１５６ａ及びデータ１１５８ａをプロセッサ１１５４に提供する。メモリ１１７４は、例えば、不揮発性ランダムアクセスメモリ（ＮＶＲＡＭ）を含むこともできる。命令１１５６ｂ及びデータ１１５８ｂは、プロセッサ１１５４により使用されうる。プロセッサ１１５４に読み込まれた命令１１５６ｂ及び／又はデータ１１５８ｂは、プロセッサ１１５４による実行又は処理のために読み込まれた、メモリ１１７４からの命令１１５６ａ及び／又はデータ１１５８ａを含むこともできる。命令１１５６ｂは、本明細書に開示するシステム及び方法を実施するためにプロセッサ１１５４により実行されうる。
【００３８】
ＵＥ１１０４は、データの送受信を可能にするように構成される送信部１１７２及び受信部１１７３を収容するハウジングを含むこともできる。送信部１１７２及び受信部１１７３は、例えば、送受信部１１７１として組み合わせることができる。１つ以上のアンテナ１１９９ａ〜ｎがハウジングに取り付けられるか又はハウジング内に密閉されることが好ましく、送受信部１１７１に電気的に接続される。
【００３９】
ＵＥ１１０４の各種の構成要素は、バスシステム１１７７により互いに接続されることが好ましく、同バスシステムは、例えば、データバスに加えて、電力バス、制御信号バス、及びステータス信号バスを含むことができる。しかし、理解しやすいように、各種のバスは、図４ではバススシステム１１７７として示されている。ＵＥ１１０４は、信号処理に使用されるように構成又はプログラムされたデジタル信号プロセッサ（ＤＳＰ）１１７５を含むこともできる。ＵＥ１１０４は、ＵＥ１１０４の機能へのユーザアクセスを提供する通信インターフェース１１７６を含むこともできる。図４に示されるＵＥ１１０４は、具体的な構成要素の一覧ではなく、機能ブロック図である。
【００４０】
図５は、本発明の各種の好適な実施形態によるｅＮｏｄｅＢ  １２０２に利用できる各種の構成要素を示している。ｅＮｏｄｅＢ  １２０２は、プロセッサ１２７８、命令１２７９ａ及びデータ１２８０ａ、プロセッサ１２７８に常駐しうるか又は読み込まれうる命令１２７９ｂ及びデータ１２８０ｂをプロセッサ１２７８に提供するように構成又はプログラムされたメモリ１２８６、送信部１２８２及び受信部１２８４（組み合わせて送受信部１２８１とすることができる）を収容するハウジング、送受信部１２８１に電気的に接続された１つ以上のアンテナ１２９７ａ〜ｎ、バスシステム１２９２、信号処理に使用するためのＤＳＰ  １２８８、並びに通信インターフェース１２９０その他など、ＵＥ１１０４に関して上で議論した構成要素と同様の構成要素を含むことができる。
【００４１】
本明細書に記載する機能は、ハードウェア、ソフトウェア、ファームウェア、又はそれらの任意の組合せで実装することができる。ソフトウェアで実装される場合、機能は、コンピュータ実行可能又はプロセッサ実行可能な１つ以上の命令としてコンピュータ可読媒体に記憶することができる。「コンピュータ可読媒体」という用語は、コンピュータ又はプロセッサによりアクセスできる任意の利用可能な有形の非一時的な媒体を指す。一例として、非限定的に、コンピュータ可読媒体又はプロセッサ可読媒体は、ＲＡＭ、ＲＯＭ、ＥＥＰＲＯＭ、ＣＤ−ＲＯＭ又は他の光学ディスク記憶装置、磁気ディスク記憶装置、他の磁気記憶装置、又は任意の他の媒体、すなわち命令又はデータ構造の形式で所望のプログラムコードを保持又は記憶するために使用可能であり、かつコンピュータ又はプロセッサによりアクセス可能な任意の他の媒体を含むことができる。本明細書で使用される場合、ディスク（disk）及びディスク（disc）は、コンパクトディスク（ＣＤ）、レーザーディスク、光学ディスク、デジタル多用途ディスク（ＤＶＤ）、フロッピーディスク、及びブルーレイ（登録商標）ディスクを含み、ディスク（disk）は、通常、データを磁気的に再生し、ディスク（disc）は、レーザーを用いて光学的にデータを再生する。ハードウェアで実装される場合、本明細書に記載する機能は、チップセット、特定用途向け集積回路（ＡＳＩＣ）、大規模集積回路（ＬＳＩ）、集積回路などの使用により実装及び／又は実現されうる。
【００４２】
本明細書に開示する方法はそれぞれ、記載された方法を実現するための１つ以上のステップ又はアクションを含む。方法のステップ及び／又はアクションは、本発明の範囲から逸脱することなく、互いに入れ替えてもよく、及び／又は単一のステップとして組み合わせてもよい。言い換えると、具体的なステップ又はアクションの順序が記載の方法の適切な動作に必要とされない限り、具体的なステップ及び／又はアクションの順序及び／又は使用は、特許請求の範囲から逸脱することなく変更することができる。
【００４３】
「プロセッサ」という用語は、汎用プロセッサ、中央処理装置（ＣＰＵ）、マイクロプロセッサ、デジタル信号プロセッサ（ＤＳＰ）、コントローラ、マイクロコントローラ、状態機械その他を包含するように広く解釈されるべきである。一部の状況では、「プロセッサ」が、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理装置の組合せ、例えば、ＤＳＰとマイクロプロセッサの組合せ、複数のマイクロプロセッサ、ＤＳＰコアと併用される１つ以上のマイクロプロセッサ、又はそのような任意の他の構成を指すことがある。
【００４４】
「メモリ」という用語は、電子情報を記憶できる任意の電子部品を包含するように広く解釈されるべきである。「メモリ」という用語は、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、消去可能なプログラマブルリードオンリーメモリ（ＥＰＲＯＭ）、電気的に消去可能なＰＲＯＭ（ＥＥＰＲＯＭ）、フラッシュメモリ、磁気若しくは光学データ記憶装置、レジスタなどの各種のタイプのプロセッサ可読媒体を含むことができる。メモリは、プロセッサが情報をメモリから読み出す及び／又は情報をメモリに書き込む場合には、プロセッサと電子通信していると考慮される。メモリは、プロセッサと統合することができるが、その場合もプロセッサと電子通信していると考慮される。
【００４５】
「命令」及び「コード」という用語は、任意のタイプのコンピュータ可読ステートメント（１つ以上）を含むように広く解釈されるべきである。例えば、「命令」及び「コード」という用語は、１つ以上のプログラム、ルーチン、サブルーチン、ファンクション、プロシージャなどを指すことがある。「命令」及び「コード」は、単一のコンピュータ可読ステートメント又は多くのコンピュータ可読ステートメントにより定義することができ、又は同ステートメントを含むことができる。
【００４６】
前述の説明は、本発明の好適な実施形態の例示にすぎないことを理解されたい。当業者は、本発明から逸脱することなく各種の代替形態及び変形形態を考案することができる。したがって、本発明は、前述の説明の範囲にあるそのような代替形態、変形形態、及び変形例の全てに及ぶことが意図されている。
【００４７】
上述した本発明の好適な実施形態によって、サイドリンクリレー動作の解決策が提供される。それらの解決策は、サイドリンクリレー要求／解放プロシージャを実行する仕組み及びプロシージャと、サイドリンクリレープロシージャをどのように実現するかという詳細な実施とを含む。好適な実施形態は、サイドリンクリレープロシージャを実行する各種の解決策を提供する。本発明の好適な実施形態及びそれらの変形形態は、リレー動作を設定する仕組み、リレーＵＥによりリレー指示をブロードキャストする仕組み、及びリレーＵＥからｅＮＢにリレー解放又は要求の関心を示す仕組みを提供する。
【図１】
2018528648.tif 000016
【図２】
2018528648.tif 000017
【図２ａ】
2018528648.tif 000018
【図２ｂ】
2018528648.tif 000019
【図３】
2018528648.tif 000020
【図４】
2018528648.tif 000021
【図５】
2018528648.tif 000022
【国際調査報告】
2018528648.tif 000023
2018528648.tif 000024